(57)【要約】      （修正有）【課題】高所等での危険な作業を行う時や又サーフボードや鮎釣り等で、身体につないで、危機から身を守る、伸縮性があり、ヘタらない安全ロープにすること。【解決手段】アラミド系、ポリエチレン系、等の糸をロープ体１にし、これらを伸縮自在のチューブ体２に貫通させ、該ロープ体１の自然長Ｌはチューブ体２の自然長ＬＬより１，２倍から２，５倍もしくは数倍にして、中空部２ａにたるませてロープ体１と同等の長さに収納し、これらのそれぞれの端子が係止具３を介し固着した構造にする。又前記ロープ体１の端子にガイド体を着脱自在に結合し、チューブ体２の中空部２ａの片方の開口部にゆるく差し込み、これらのガイド体を、中空部２の他方の開口部に掃除機たぐいの吸引ノズルに接続する吸い込みガイドを差し込み、吸引ノズルに発生する空気吸引力で、チューブ体２の中空部２ａに細長いロープ体１又は芯糸体を貫通可能にした製造方法。【選択図】図１
2008297689.tif 000002
【特許請求の範囲】
【請求項１】
アラミド系、ポリエチレン系、ＰＢＯ繊維系の糸をロープ体（１）に撚成し、これらを伸縮自在のチューブ体（２）の中空部（２ａ）に貫通させ、該ロープ体（１）の自然長（Ｌ）はチューブ体（２）の自然長（ＬＬ）より１，２倍から２，５倍もしくは数倍にして、中空部（２ａ）にたるませてロープ体（１）の長さに合わせ、これらのそれぞれの端子が係止具（３）を介し固着した事を特徴とする、安全ロープ構造。
【請求項２】
前記するロープ体（１）を糸状の一体の芯糸体（１０１）にしたことを特徴とする請求項１記載の釣用の安全クッション構造。
【請求項３】
前記する係止具（３）は棒状でなり、片方の側面に開口する縦孔（３ａ）と、それに交差するロック孔（３ｂ）を外周面に開口し、更に他方の端部に位置して外周面に止め孔（３ｃ）を開口し、これらのそれぞれの孔にロープ体（１）の端子又は芯糸体（１０１）の端子を通してからませ結束し、チューブ体（１）の中空部（２ａ）の端子開口部は、これらの係止具（３）の端部（３ｄ）に差し込係止することで、双方の端子を係止具（３）に強着したこれらの係止具（３）を他の接続要部に装着可能したことを特徴とする、請求項１又は２項記載の安全ロープ構造と安全クッション構造。
【請求項４】
前記するロープ体（１）或いは芯糸体（１０１）の端子にガイド体（Ａ）を着脱自在に結合し、チューブ体（２）の中空部（２ａ）の片方の開口部にゆるく差し込み、これらのガイド体（Ａ）を、中空部（２）の他方の開口部に掃除機たぐいの吸引ノズルに接続してなる吸い込みガイド（Ｂ）を差し込み、吸引ノズルに発生する空気吸引力（Ｐ）を利用することで、長く延長するチューブ体（２）の中空部（２ａ）に細長いロープ体（１）或いは芯糸体（１０１）を貫通可能にしたことを特徴とする請求項１，２又は３項記載の製造方法。
【発明の詳細な説明】
【技術分野】
【０００１】  この発明は高所や壁面等での危険な作業を行う時やサーフボードや、或いは強流中での鮎釣で、身体をこれらの所在部位につないで、現場での思いがけない危機にさらされた時に身体をこれらの近辺の所在部位から離脱する事無く双方の接続具として使う伸縮する安全ロープ（命綱）と、そしてまた釣場で道糸とハリスの間に接続具として使う安全クッションの同一技術分野に関し、更に詳しくはこれらの接続具は、伸縮自在のチューブ体の中空部にロープや芯材を貫通して２層構造の接続具にし、伸び縮みするチューブの限りない伸びを押さえてヘタラない弾性限界内での伸縮にする為に、中空部に貫通するロープや芯材の所定の長さを限度に伸びを制限し、限りなく強弱の伸縮を繰り返してもクッション性の失う事のない安全ロープと釣用の切れ難くヘタリのない安全クッションに関し、またこれらの製造方法に関する。
【背景技術】
【０００２】  本来此の種の従来の技術として、命綱に見られるロープは化学繊維を使ってのポリエチレンやビニロンやポリエステル等の撚糸を撚成したロープ体を所定の長さと太さにし、両端子にはスナップやリングを結束した命綱用具として、危険な作業やスポーツや強流での鮎釣り等で、落ちたり沈んだりする危険から身を守る為に、身体と身辺の接続要部間を接続具としてつないで使っている。【０００３】  また釣用具では、道糸とハリスの間に弾性線条体でなる熱可塑性ポリウレタンエラストマーでなる一本のクッションゴムと称する接続具を使って、ハリスに吊るした釣針に食い付く魚の引きでの衝撃を緩和し、魚の釣り上げや魚のアタリ合わせでの魚の口切れを防いでいる。
【発明の開示】
【発明が解決しようとする課題】
【０００４】  しかしながら、上記する従来技術の命綱として使われる安全ロープの場合は現場での思いがけない危機にさらされて、瞬間に体重がロープに掛かった時、其の衝撃が身体の内臓への怪我を与えたり、或いは瞬時にかかる突発的なロープの引きなどで身体のバランスを崩して足場を外して身体が落下し、障害物に激突する等で致命傷を負おうなどの課題が有り、そして又突如に起こるロープへの過激な付加によってロープの破断強度を超える衝撃に依ってロープが突如切断する等の課題がある。【０００５】  次ぎに釣具での釣竿の道糸とハリスの間に接続して使うクッションゴムは魚の引きが数回繰り返す間に弾性限界を超え、クッションゴムの伸び縮みが鈍化し伸びきり、頻繁に新品に取り替えたり、突如切断する等で、其の引っ張り反発によって身辺に危害を与えるなどの課題があり、いずれにしても突如に起こるこれら利用者に危害の与えることのない用具の具現化を強く要望される由縁である。
【課題を解決する為の手段】
【０００６】  この発明はかかる課題を解決するために、請求項１での発明は図１、図２、図３で述べるように、図１は本発明での一部断面での全体を示す斜視図で、図２は同じく請求項１での一部断面での使用例を示す斜視図で、更には図３は同じく請求項１での身体の一部に閉め付けたベルトに装着した安全ロープの使用例を示す部分図での斜視図で、化学繊維を使ってのアラミド系、ポリエチレン系、ＰＯＢ繊維系の糸をロープ体１に撚成し、これらを伸縮自在のチューブ体２の中空部２ａに貫通させ、該ロープ体１の自然長Ｌはチューブ体２の自然長ＬＬより１，２倍から２，５倍もしくは数倍にして、中空部２ａにたるませて
ロープ体１の長さに合わせ収納し、これらのそれぞれの端子が係止具３を介し結束した安全ロープ構造にする。
【０００７】  又請求項２での発明は図４で述べるように、前記するロープ体１を糸状の一本の芯糸体１０１にした２層構成での釣用の安全クッション構造にする。
【０００８】  次ぎに又請求項３での発明を、前記する図１、図２、図３、図４を併用して述べるように、前記する係止具３は棒状でなり、片方の側面に開口する縦孔３ａと、それに交差するロック孔３ｂを外周面に開口し、更に他方の端部に位置して外周面に止め孔３ｃを開口し、これらのそれぞれの孔にロープ体１の端子又は芯糸体１０１の端子を通して外周にからませ結束し、チューブ体１の中空部２ａの端子開口部は、これらの係止具３の端部３ｄに差し込み係止することで、双方の端子を係止具３に強着したこれらの係止具３はリングＣやスナップ等を介し、身体の身辺にある接続要部間に装着可能にした構成での安全ロープ構造と安全クッション構造にする。
【０００９】  次ぎに請求項４での発明は製造方について述べるが、「第１工程」での図５は、前記するロープ体１又は芯糸体１０１の端子にガイド体Ａを着脱自在に結合し、所定の長さに裁断された、チューブ体２の中空部２ａの片方の開口部にゆるく差し込み、これらのガイド体Ａを、中空部２の他方の開口部に掃除機たぐい（実施例では家庭用の掃除機を使用したが、特定せず）の吸引ノズルに接続してなる吸い込みガイドＢを差し込み、吸引ノズルに発生する空気吸引力Ｐを利用することで、ガイド体Ａが中空部２ａ内を吸い込まれ移動し、長く伸長するチューブ体２の中空部２ａに細長いロープ体１或いは芯糸体１０１を貫通を容易にしている。次ぎに「第２工程」での図６は、チューブ体２に貫通されたロープ体１又は芯糸体１０１の端子に結合したガイド体Ａを取り外した後、「第３工程」では図７に述べるように、貫通されたロープ体１又は芯糸体１０１は所定の自然長ＬＬに切断され、両端子はそれぞれ係止具３に結束されるが、本実施例では縦孔３ａに差し込まれた端子はロック孔３ｂを通過し止め孔３ｃに通され支点となって折り返されて、係止具３の外周に巻き込まれながら再度ロック孔３ｂに差し込まれて結束された後、「第４工程」では図８に述べるように、係止具３に結束されたロープ体１又は芯糸体１０１はチューブ体２の中空部２ａに押し込んでたるませ係止具３の端部３ｄをこれらの中空部２ａの開口部にかたく差し込まれて係止され、其の後はこれらの両端を摘んで最大限に引き伸ばした後に自然長に開放することで、図９に述べるように、チューブ体２の中空部２ａ内に螺旋状に伸縮自在に収納され、安全ロープと安全クッションの製法は完了するが、前記するロープ体１或いは芯糸体１０１と係止具３との結束は本実施形態に特定するもので無く、係止具３の結束は他の形態でも良い。（図示せず）
【発明の効果】
【０００７】  本発明は上述の通り構成作用するので次の優れた効果を奏する。即ち安全ロープにクッション性を持たせた為、瞬時に体重がロープに掛かった時、そのショックが身体に掛かる衝撃をロープの伸び縮みが吸収し緩和することで、身体を危機から守る事の出来る安全ロープを提供することが出来る。
【０００８】  次ぎに釣り用安全クッションは、強靭な芯糸体の自然長を限度にチューブ体が弾性限界を超えず伸び縮みすることで、へたりや切断のないクッション性の優れた強靭な安全クッションを提供出来る。
【０００９】  このように繰り返し引っ張りに依っても伸縮性が落ちる事無く、偶発的に切断のない安心安全なクッションを備えた強靭な紐体として、他の多くの用品に利用できるなどの優れた効果を奏する。
【発明を実施するための最良な形態】
【００１０】  以下に図示の実施例に基づいて本発明を更に詳細に説明するに、図１は本発明での第一実施例に基づく全体を示す一部断面での斜視図で、図２は現場で使用例での安全ロープに牽引が働いた形態での一部断面でのロープ体１が最長伸びで、本発明の安全ロープ（命綱）は、少なくとも３部品で構成し、１部品は細長いロープ体１で、それは化学繊維を素材としたアラミド系やポリエチレン系やＰＯＭ繊維系の糸を使って撚成したもので、他の合成繊維でも良く、撚りのロープ体１の太さや長さも用途に応じ選択は任意での構成とする。次ぎにもう１部品は伸縮自在でなる樹脂製の中空部２ａを持つチューブ体２でこれらの材質は伸縮性に優れたポリウレタンエラストマー樹脂が最適とされるが材質を含め適在適所に応じ伸びや太さ長さなどが決定される。次ぎにもう１部品は棒状でなる係止具３との３部品での構成である．
【００１１】  そして細長いロープ体１はチューブ体２に通されでが、ロープ体１の自然長はチューブ体２の自然長の数倍の長さに切断れ、お互いの端子が両方とも揃えられ係止具３に結束されるが、チューブ体１より数倍の長さに切断されたロープ体１は中空部２ａにたるませて押し込まれることになり、これらに引っ張りが働いた時チューブ体１の伸びは最長でたるんで中空部２ａに押し込まれたロープ体１の最長までしか伸びることが出来ずに、その間でチューブ体１の伸縮の繰り返しが行なわれる。これらのチューブ体１の最長伸びは其の材質の持つ弾性限界の伸び長さ内を限度にロープ体１の自然長が決定される。
【００１２】  又図２は本発明での第一実施例に基づく使用例での安全ロープに引っ張りが働いて、最大伸びにロープ体１が達した形態を一部断面を示しての斜視図で、瞬時に体重がロープ体１に掛かった時、そのショックが身体に掛かる衝撃をロープ体１の伸び縮みが吸収し緩和することが出来る。又図３は同じく第一実施例に基づく使用例での安全ロープに引っ張りが働かない場合と、引っ張りが働いた時の一部断面での要部斜視図である。
【００１３】  次ぎに図４は第二実施例に基づく一部断面での要部斜視図で、従来この種のクッションは、釣具での道糸とハリスとの間に介在させる弾性線条体のポリウレタンエラストマー樹脂からなるクッションゴムとしてムクの線材が使われるが、本発明はチューブ体２でその中空部２ａに一本の糸状の芯糸体１０１を貫通させて前記安全ロープと同等の構成での２層から成る安全クッション構成とし、芯糸体１０１の自然長さはチューブ体２の自然長さの１，２倍から２，５倍の自然長から選択するが、これらの選択するチューブ体２の伸び率を基準にし、芯糸体１０１の長さの倍率を算定することで、伸び弾性限界の長さに対しての芯糸体１０１の長さが決定されることになる。
【００１４】  次ぎに又上記する第一及び第二実施例での図面を併用しての第三実施例を述べるに、チューブ体１と其れに貫通するロープ体１又は芯糸体２の端子を揃え、それらを係止具３を結束手段として使われるが、これらは金属製或いは合成樹脂加工でなる棒状でなり、片方の側面に開口する縦孔３ａと、それに交差するロック孔３ｂを外周面に開口し、更に他方の端に位置して外周面に止め孔３ｃを開口して成るが、これらの止め孔３ｃに近接して丸状の端部３ｄがロープ体１の中空部２ａの開口部にかために圧入或いはねじ込み可能な形状としている。
【００１５】  チューブ体２と其れに貫通するロープ体１或いは芯糸体１０１との端子同志は係止具３が結束するが、縦孔３ａに差し込まれたロープ体１或いは芯糸体１０１の端子はロック孔３ｂから引き出し、止め孔３ｃを通過し折り返し、外周に巻き込まれた端末が再度ロック孔３ｂに差し込まれ、チューブ体２の開口部は端部３ｄに差し込み固着し、それぞれが係止具３とかたく結束する。
【００１６】  このようにチューブ体２は係止具３に結束され、其の係止具３の端子に開口する止め孔３Ｃを介し、リング体Ｃやスナップ等が着脱自在に接続して使用する構成とすることで、本実施例は最適例とするが、これらの他に物体と物体との接続具或いは身体と物体との接続具として、限りなく拡大出来る技術分野に適用するものである。
【００１７】  次ぎに図５、図６、図７、図８、図９、は第一、第二、第三実施例にあげる本発明の製造方法に基づく要部を斜視図で示すもので、図５は「第１工程」を示し、ロープ体１或いは芯糸体１０１（以下これらの双方を総合し製法においては線体１１１と呼ぶ事にする）の端子を円柱状にクリップ又はリング体を付けたガイド体Ａに着脱自在に接続し、所定の太さと自然長Ｌに切断されたチューブ体２の片方の開口部に差し込み、其の太さに整合するガイド体Ａは、チューブ体２の他方の開口部に掃除機たぐい（掃除機に特定しないエアー吸入機等）の吸引ノズルに接続してなる吸い込みガイドＢをかために差し込み、吸引ノズルに発生する空気吸引力Ｐを使って、チューブ体２の開口部に差し込まれたガイド体Ａを片方の開口部に移動させ、ガイド体Ａに着脱自在に接続する線体１１１をチューブ体２に貫通させる製法とする。
【００１８】  次ぎに図６は「第２工程」を示すもので、チューブ体２に貫通された線体１１１の先に接続するガイド体Ａを外す。次ぎに図７は「第３工程」を示すもので、貫通された線体１１１は所定の自然長ＬＬに切断されて、これらの両端子はそれぞれ係止具３に結束される。これらの接続の一例として、線体１１１の結束は係止具３の側面に開口する縦孔３ａに差し込まれ、其の孔に交差して設けたロック孔３ｂから外周に引き出し、止め孔３ｃに差し込まれ折り返され係止具３の外周に沿って数回巻きつけ、端末はロック孔３ｂに差し込まれ、線体１１１と係止具３が固着される。次ぎに図８は「第４工程」を示すもので、線体１１１の端子が結束された係止具３をチューブ体２の自然長Ｌより数倍に長い線体１１１をチューブ体２の中空部２ａにたるませて押し込み、係止具３の端部３ｄをチューブ体２の開口部にかたく差し込まれ固着し一体化している。次ぎに図９で示すように、チューブ体２に貫通して両端子に一体化した係止具３に引っ張りを付加する事で、チューブ体２の中空部２ａに収納した線体１１１は最大限の伸び迄チューブ体２が伸び、其の伸びは弾性限界内で終ることで伸縮の繰り返しでチューブ体２が伸びきったり破断することを防いでいる。チューブ体２に引っ張りのない自然長Ｌでは、線体１１１は螺旋状に中空部２ａに収納される。
【００１９】  これらの製造方法での工程は、製法の流れを示し、実施例での工程を短縮、あるいは統合しても良く、本実施例工程を特定するものでなく、細長いチューブ体２に線体１１１を貫通する製法を狙いとするものである。
【図面の簡単な説明】
【００２０】
【図１】本発明に係わる第一と第三実施例とを併用しての一部断面での斜視図である。
【図２】本発明に係わる第一と第三実施例とを併用しての一部断面での使用例で伸びきった斜視図である。
【図３】本発明に係わる第一と第三実施例とを併用しての使用例での引っ張りと縮小での斜視図である。
【図４】本考発明に係わる第二と第三実施例とを併用しての一部断面での斜視図である。
【図５】本発明に係わる製法での第１工程を示す一部断面での斜視図である。
【図６】本発明に係わる製法での第２工程を示す斜視図である。
【図７】本発明に係わる製法での第３工程を示す斜視図である。
【図８】本発明に係わる製法での第４工程を示す斜視図である。
【図９】本発明に係わる製法での第４工程を示す一部断面での要部断面での斜視図である。
【符合の説明】
【００２１】      １          ロープ体
１０１      芯糸体
１１１      線体
２          チューブ体
２ａ        中空部
３          係止具
３ａ        縦穴
３ｂ        ロック孔
３ｃ        止め孔
３ｄ        端部
Ｌ，ＬＬ    自然長
Ａ          ガイド体
Ｂ          吸い込みガイド
Ｃ          リング体
Ｄ          サルカン
Ｐ          空気吸引力
【図１】
2008297689.tif 000003
【図２】
2008297689.tif 000004
【図３】
2008297689.tif 000005
【図４】
2008297689.tif 000006
【図５】
2008297689.tif 000007
【図６】
2008297689.tif 000008
【図７】
2008297689.tif 000009
【図８】
2008297689.tif 000010
【図９】
2008297689.tif 000011